(57)【要約】【課題】伸縮性材料同士を接着剤を介して貼り合わせる場合に、接着強度を確保しつつ、生地の持つ伸縮性を阻害することなく貼り合わせることができる伸縮性材料の貼り合わせ技術を提供する。【解決手段】伸縮性材料同士となる伸縮性生地１及び伸縮性生地２を接着剤により形成される接着パターンＰを介して貼り合わせる生地の貼り合わせ構造１０であって、前記接着パターンＰは、前記接着剤を所定形状に形成することで伸縮性生地１及び伸縮性生地２が連続的に接着される接着部３と、当該接着部３により平面視において開口形成され、伸縮性生地１及び伸縮性生地２が前記接着剤により接着されない非接着部４と、からなり、前記接着部３と前記非接着部４とが所定方向に繰り返し設けられる。
2014109318.tif 000002
【特許請求の範囲】
【請求項１】
伸縮性材料同士を接着剤により形成される接着パターンを介して貼り合わせる伸縮性材料の貼り合わせ構造であって、
前記接着パターンは、
前記接着剤を所定形状に形成することで前記伸縮性材料同士が連続的に接着される接着部と、
当該接着部により平面視において開口形成され、前記伸縮性材料同士が前記接着剤により接着されない非接着部と、からなり、
前記接着部と前記非接着部とが所定方向に繰り返し設けられることを特徴とする伸縮性材料の貼り合わせ構造。
【請求項２】
前記接着パターンは、該接着パターンの少なくとも一端に、環状もしくは線状を含む形状の端部留めを有することを特徴とする請求項１に記載の伸縮性材料の貼り合わせ構造。
【請求項３】
前記接着パターンは、該接着パターンの延設方向が転換する部分に環状もしくは線状を含む形状の留めパターンを有することを特徴とする請求項１または請求項２に記載の伸縮性材料の貼り合わせ構造。
【請求項４】
前記所定方向は、前記伸縮性材料の伸縮性を有する方向であることを特徴とする請求項１から請求項３のいずれか一項に記載の伸縮性材料の貼り合わせ構造。
【請求項５】
前記所定形状は、ジグザグ状またはカーブ状であることを特徴とする請求項１から請求項４のいずれか一項に記載の伸縮性材料の貼り合わせ構造。
【請求項６】
前記接着剤は、熱可塑性樹脂であることを特徴とする請求項１から請求項５のいずれか一項に記載の伸縮性材料の貼り合わせ構造。
【請求項７】
請求項１から請求項６のいずれか一項に記載の伸縮性材料の貼り合わせ構造を有する衣類。
【請求項８】
伸縮性材料同士を接着剤により形成される接着パターンを介して貼り合わせる伸縮性材料の貼り合わせ方法であって、
前記伸縮性材料同士の少なくとも一方の伸縮性材料に、前記接着パターンで接着剤を塗布する工程と、
前記伸縮性材料同士を前記接着パターンを介して貼り合わせて熱接着する工程と、を含み、
前記接着パターンは、
前記接着剤を所定形状に形成することで前記伸縮性材料同士が連続的に接着される接着部と、
当該接着部により平面視において開口形成され、前記伸縮性材料同士が前記接着剤により接着されない非接着部と、からなり、
前記接着部と前記非接着部とを所定方向に繰り返し設けることを特徴とする伸縮性材料の貼り合わせ方法。
【請求項９】
前記接着パターンは、該接着パターンの少なくとも一端に、環状もしくは線状を含む形状の端部留めを有することを特徴とする請求項８に記載の伸縮性材料の貼り合わせ方法。
【請求項１０】
前記接着パターンは、該接着パターンの延設方向が転換する部分に環状もしくは線状を含む形状の留めパターンを有することを特徴とする請求項８または請求項９に記載の伸縮性材料の貼り合わせ方法。
【請求項１１】
前記所定方向は、前記伸縮性材料の伸縮性を有する方向であることを特徴とする請求項８から請求項１０のいずれか一項に記載の伸縮性材料の貼り合わせ方法。
【請求項１２】
前記所定形状は、ジグザグ状またはカーブ状であることを特徴とする請求項８から請求項１１に記載の伸縮性材料の貼り合わせ方法。
【請求項１３】
前記接着剤は、熱可塑性樹脂であることを特徴とする請求項８から請求項１２のいずれか一項に記載の伸縮性材料の貼り合わせ方法。
【発明の詳細な説明】
【技術分野】
【０００１】
本発明は、伸縮性材料の貼り合わせ構造、該構造を有する衣類及び伸縮性材料の貼り合わせ方法に関し、より詳しくは、伸縮性材料同士を貼り合わせる際に、伸縮性材料の持つ伸縮性を阻害することなく貼り合わせることが可能な、伸縮性材料の貼り合わせ技術に関する。
【背景技術】
【０００２】
従来、伸縮性材料（素材）同士の貼り合わせ技術が種々提案されている。例えば、接着テープや接着剤により、伸縮性材料（例えば、伸縮性を有する生地）同士を接着させる技術が知られている（例えば、特許文献１、２を参照）。【０００３】
具体的には、特許文献１では、伸縮性を有する表生地と裏生地とを熱可塑性樹脂によって熱接着して貼り合わせる場合に、表生地または裏生地のすくなくとも一方の接着面に、熱可塑性樹脂をドット状に塗布またはシート状に積層し、熱接着を行って生地を貼り合わせる技術が開示されている。
また、特許文献２では、伸縮性生地からなる衣類であって、着用部位に応じてドット接着樹脂の塗布面積率を変更し、衣類の伸長力と伸長性をコントロールする技術や、表裏二枚の伸縮性本体生地をドット接着樹脂で接着する技術が開示されている。
【先行技術文献】
【特許文献】
【０００４】
【特許文献１】特開２００４−１１０５６号公報
【特許文献２】国際公開第２００９／０８４０７９号
【発明の概要】
【発明が解決しようとする課題】
【０００５】
しかしながら、特許文献２に記載されるようなドット接着によって、伸縮性材料同士を接着する（貼り合わせる）場合、ドット接着樹脂の塗布面積率を変更することで伸縮性材料の伸長力と伸長性をコントロールすることができるものの、前記ドット接着樹脂のドットパターンについては、隣接するドット間に隙間（ドット間に接着剤がない部分）が形成される非連続的な接着パターンとしているため、伸縮性材料の接着面間において高い接着強度を確保することがむずかしいばかりか、前記隙間を有するために、防水性や保温性も劣る。
一方、特許文献１に記載されるようなシート状樹脂によって伸縮性材料同士を接着する（貼り合わせる）場合、接着部位が面となるため該伸縮性材料の接着面間において高い接着強度を確保することができるものの、シート状樹脂が接着部位に面状に貼りつけられたことにより前記伸縮性材料の伸びが阻害され、前記伸縮性材料が本来有する伸縮性が損なわれてしまう。【０００６】
本発明は、上記課題に鑑みてなされたものであって、接着剤を介して伸縮性材料同士を貼り合わせる場合において、接着強度を確保しつつ、伸縮性材料の持つ伸縮性を阻害することなく貼り合わせることができる伸縮性材料の貼り合わせ技術を提供することを目的とする。
【課題を解決するための手段】
【０００７】
本発明の解決しようとする課題は以上の如くであり、次にこの課題を解決するための手段を説明する。【０００８】
即ち、本発明の伸縮性材料の貼り合わせ構造は、伸縮性材料同士を接着剤により形成される接着パターンを介して貼り合わせる伸縮性材料の貼り合わせ構造であって、前記接着パターンは、前記接着剤を所定形状に形成することで前記伸縮性材料同士が連続的に接着される接着部と、当該接着部により平面視において開口形成され、前記伸縮性材料同士が前記接着剤により接着されない非接着部と、からなり、前記接着部と前記非接着部とが所定方向に繰り返し設けられるものである。【０００９】
本発明の伸縮性材料の貼り合わせ構造において、前記接着パターンは、該接着パターンの少なくとも一端に、環状もしくは線状を含む形状の端部留めを有するものである。【００１０】
本発明の伸縮性材料の貼り合わせ構造において、前記接着パターンは、該接着パターンの延設方向が転換する部分に環状もしくは線状を含む形状の留めパターンを有するものである。【００１１】
本発明の伸縮性材料の貼り合わせ構造において、前記所定方向は、前記伸縮性材料の伸縮性を有する方向であるものである。【００１２】
本発明の伸縮性材料の貼り合わせ構造において、前記所定形状は、ジグザグ状またはカーブ状であるものである。【００１３】
本発明の伸縮性材料の貼り合わせ構造において、前記接着剤は、熱可塑性樹脂であるものである。【００１４】
本発明の衣類は、前記本発明の伸縮性材料の貼り合わせ構造を有するものである。【００１５】
本発明の伸縮性材料の貼り合わせ方法は、伸縮性材料同士を接着剤により形成される接着パターンを介して貼り合わせる伸縮性材料の貼り合わせ方法であって、前記伸縮性材料同士の少なくとも一方の伸縮性材料に、前記接着パターンで接着剤を塗布する工程と、前記伸縮性材料同士を前記接着パターンを介して貼り合わせて熱接着する工程と、を含み、前記接着パターンは、前記接着剤を所定形状に形成することで前記伸縮性材料同士が連続的に接着される接着部と、当該接着部により平面視において開口形成され、前記伸縮性材料同士が前記接着剤により接着されない非接着部と、からなり、前記接着部と前記非接着部とを所定方向に繰り返し設けるものである。【００１６】
本発明の伸縮性材料の貼り合わせ方法において、前記接着パターンは、該接着パターンの少なくとも一端に、環状もしくは線状を含む形状の端部留めを有するものである。【００１７】
本発明の伸縮性材料の貼り合わせ方法において、前記接着パターンは、該接着パターンの延設方向が転換する部分に環状もしくは線状を含む形状の留めパターンを有するものである。【００１８】
本発明の伸縮性材料の貼り合わせ方法において、前記所定方向は、前記伸縮性材料の伸縮性を有する方向であるものである。【００１９】
本発明の伸縮性材料の貼り合わせ方法において、前記所定形状は、ジグザグ状またはカーブ状であるものである。【００２０】
本発明の伸縮性材料の貼り合わせ方法において、前記接着剤は、熱可塑性樹脂であるものである。
【発明の効果】
【００２１】
本発明によれば、伸縮性材料同士を貼り合わせる場合において、接着強度を確保しつつ、伸縮性材料同士の接着部位の伸縮性を損なうことなく接着することができる。
【図面の簡単な説明】
【００２２】
【図１】本発明の一実施形態に係る生地の貼り合わせ構造を示した図であり、（ａ）は貼り合わせ前の生地の貼り合わせ構造を示した平面図、（ｂ）は貼り合わせ後の生地の貼り合わせ構造を示した平面図。
【図２】図１（ｂ）中の矢印Ａの方向から見た断面図。
【図３】接着パターンの例を示した平面図。
【図４】接着パターンの端部留めの例を示した平面図。
【図５】接着パターンの留めパターンの例を示した平面図。
【図６】本実施形態に係る生地の貼り合わせ構造を適用した衣類の例を示す斜視図。
【発明を実施するための形態】
【００２３】
次に、本発明の実施形態について、図１乃至図６を用いて説明する。以下では、本発明の伸縮性材料の貼り合わせ構造に係る実施形態の一例として、伸縮性生地の貼り合わせ構造１０（以下、生地の貼り合わせ構造１０という）を挙げて説明する。
【００２４】
なお、前記伸縮性材料としては、特に限定するものではないが、シート状で伸縮性を有する材料（素材）が好ましく、本実施形態で例として挙げる伸縮性生地や、その他、ストレッチ素材、ゴム素材、ポリウレタンフィルム等の伸縮性フィルム類、及びこれらを複合して構成した複合体等が挙げられる。
また、同一の伸縮性材料同士のみならず異なる伸縮性材料同士を貼り合わせてもかまわない。
【００２５】
本実施形態における生地の貼り合わせ構造１０は、伸縮性生地同士となる伸縮性生地１及び伸縮性生地２を接着剤により形成される接着パターンＰを介して貼り合わせる生地の貼り合わせ構造である。
【００２６】
前記接着パターンＰは、図１に示すように、前記接着剤を所定形状（図１では、ジグザグ形状）に形成することで伸縮性生地１及び伸縮性生地２が連続的に接着される接着部３と、当該接着部３により平面視において開口形成され、伸縮性生地１及び伸縮性生地２が前記接着剤により接着されない非接着部４と、からなり、前記接着部３と前記非接着部４とが所定方向（図１では、矢印で示す伸縮性生地１及び伸縮性生地２の伸縮性を有する方向）に繰り返し設けられる。
ここで、「伸縮性を有する方向」とは、伸縮性の程度の大小は問わずに伸縮性を有している方向であればよい。より具体的には、特に限定するものではないが、図１に示す生地の貼り合わせ構造１０においては、横方向（図１の左右方向）よりも縦方向（図１の上下方向）が伸縮性の程度が大きく、この縦方向を「伸縮性を有する方向」として設定している。
なお、伸縮性の程度により伸縮性を有する方向は限定されず、伸縮性の程度が小さい方向を伸縮性を有する方向としても良い。
【００２７】
なお、接着パターンＰは、図１に示すように平面上の直線に限定するものではなく、伸縮性生地１及び伸縮性生地２の表面形状に沿った形状であればよい。例えば、貼り合わせる生地同士の形状に応じて、屈曲状、湾曲状、蛇行状、ループ状等適宜変更することができる。
また、図１においては、伸縮性生地１及び伸縮性生地２の平面視形状を長方形としているが、特に限定するものではなく、伸縮性生地の形状は任意のものを選択できる。
【００２８】
伸縮性生地１及び伸縮性生地２は、伸縮性に異方性のある伸縮性生地であり、伸縮性生地１及び伸縮性生地２とは、ともに同じ方向（図１の矢印で示す生地の縦方向）に伸縮性を有するように接着剤（接着パターンＰの接着部３）を介して貼り合わされる（図２参照）。
また、上記伸縮性に異方性がある伸縮性生地１及び伸縮性生地２については、伸縮性の異なる生地同士であってもよく、或いは、伸縮性が同程度であってもよく、伸縮性生地１及び伸縮性生地２に関するそれぞれの伸縮性の程度に限定されるものでない。
【００２９】
なお、本実施形態では、伸縮性生地１及び伸縮性生地２がともに伸縮性に異方性のある伸縮性生地を用いているが、特に限定するものではなく、伸縮性生地１及び伸縮性生地２がともに生地の縦横方向に伸縮性を有する等方性の伸縮性生地を用いることもできる。
また、伸縮性生地同士の少なくとも一方について、一方向に伸縮性があり、他方向には伸縮性がない伸縮性生地を用いてもよい。
【００３０】
本実施形態の伸縮性生地としては、伸縮性を有する編物（経編地、丸編地、緯編地などの編地）や織物を用いることができる。
より具体的には、伸縮性を有する編物としてはベロア、天竺（綿天竺、ウール天竺）、フライス、パワーネット、トリコット、ツーウェイトリコットなどが挙げられる。また、伸縮性を有する織物としては、ポリウレタン弾性繊維、ポリウレタン弾性繊維を含む混合繊維あるいはポリウレタン弾性繊維以外の弾性繊維を交編した伸縮性を有する織物などが挙げられる。
【００３１】
伸縮性生地としては少なくとも一方向に伸縮性を有していればよく、複数方向に伸縮性を有する編物や織物であってもよい。
なお、本実施形態では、伸縮性生地１及び伸縮性生地２の素材は同一方向に伸縮性を有する同じ編物からなるが、特に限定するものではなく、異なる種類の素材（編物や織物）を組み合わせて用いてもかまわない。
【００３２】
接着パターンＰは、前述したように、接着部３と、非接着部４とからなり、図２に示すように、接着剤が伸縮性生地１及び伸縮性生地２のそれぞれの接着面１ａ、接着面２ａに熱接着して固着した接着部位の平面視形状のことをいう。
また、接着部３は、所定方向（図１では、矢印で示す伸縮性生地１及び伸縮性生地２の伸縮性を有する方向）に所定形状（図１では、ジグザグ形状）を連続的に繰り返して形成される部分である。
【００３３】
接着部３は、より具体的に説明すると、接着パターンＰの形状がジグザグ形状の場合は、図１（ａ）に示すように、接着部３を構成する最小繰り返し単位Ｕが、「＜」形状もしくは「＞」形状であり、この最小繰り返し単位Ｕである「＜」形状もしくは「＞」形状が伸縮性生地１及び伸縮性生地２の伸縮性を有する方向に複数かつ連続的に繰り返して配置形成される部分のことである。
図１に示すジグザグ形状は、所定のジグザグ振幅（生地の伸縮性を有する方向と直交する振幅）と所定のジグザグピッチを一定周期で繰り返すものである。
【００３４】
一方、非接着部４は、当該接着部３により平面視において開口形成され、伸縮性生地１及び伸縮性生地２が前記接着剤により接着されない部分である（図２を参照）。
非接着部４は、より具体的に説明すると、接着パターンＰの形状がジグザグ形状の場合は、図１（ａ）に示すように、伸縮性生地１及び伸縮性生地２のそれぞれにおいて前記接着部３の最小繰り返し単位Ｕである「＜」形状もしくは「＞」形状の開口端から内側の所定領域に亘って接着剤が塗布されず、伸縮性生地１及び伸縮性生地２が接着されない部分のことである。
【００３５】
この非接着部４は、接着剤が塗布されない領域であるため、伸縮性を有する方向に生地を伸縮しても、接着剤による伸縮の阻害を受けない伸びしろ部分となる。
具体的には、非接触部４は、生地を伸ばす方向に引っ張ると、非接触部４が伸びしろとして伸縮性を有する方向に伸びて開口するため、接着剤による伸縮の阻害を受けないのである。
【００３６】
接着パターンＰの形状をジグザグ状にして伸縮性生地同士を接着する場合、前述した所定のジグザグ振幅と所定のジグザグピッチを変更することで、伸縮性生地同士の伸長力と伸長性をコントロールすることができる。
【００３７】
なお、接着パターンＰの形状をジグザグ状にする場合、その周期については特に限定するものではなく、図１に示すように、一定周期である必要はない。ジグザグ形状の周期については、生地特性、貼り合わせる生地の位置（部位）、当該生地の位置（部位）に応じて必要な伸縮性、製造条件等により適宜決めればよい。
【００３８】
また、接着パターンＰの形状はジグザグ状に特に限定するものではなく、図３に示すような種々の接着パターンＰが挙げられる。
図３に示す種々の接着パターンＰの形状のなかでも、図３（ａ）のジグザグ状または図３（ｂ）のカーブ状が好ましい。これは、生地に接着剤を塗布（付与）する際に塗布し易い形状であるからである。
【００３９】
また、接着パターンＰを構成する、接着部３と非接着部４との所定方向への繰り返し数は、少なくとも２回以上であればよく、所定の回数に限定されるものではない。
例えば、前記繰り返し数が２回である場合、接着パターンＰは、接着部３、非接着部４、接着部３と順に配置された構成となる一方、前記繰り返し数が３回以上である場合、接着パターンＰは、接着部３、非接着部４、接着部３、非接着部４、・・・と順に配置された構成となるのである。
【００４０】
さらに、接着パターンＰを構成する、接着部３と非接着部４との配置パターンについては、特に限定されるものではなく、不規則に構成されていてもよい。
例えば、図３（ｅ）の右側上段に示すように、接着パターンＰは、ひし形に形成された複数の接着部３・３・・・を、左方から右方に向かって交互に直線状接着部を連設するのではなく、図３（ｅ）の右側下段に示すように、接着部３を直線状接着部を適宜介設しながら１個、３個、２個、１個、２個、・・・と順に連ねて配置するように構成してもよい。
つまり、接着パターンＰの構成については、接着部３と、該接着部３の内側のひし形状の領域部分によって開口形成される非接着部４と、の配置パターンが交互に繰返されるものだけに限定されるのではなく、不規則なものであってもよいのである。
【００４１】
生地の貼り合わせ構造１０が有するジグザグ状の接着パターンＰと同様に、図３（ａ）から（ｋ）に示す接着パターンＰを介して伸縮性生地同士を貼り合わせて生地の貼り合わせ構造を形成すれば、いずれの接着パターンＰにおいても、上述したような接着部３と、非接着部４とが所定方向に繰り返し設けられることになる。
【００４２】
例えば、図３（ｄ）の左側の接着パターンＰでは、接着部３の内側の円状の領域部分（図３（ｄ）の符号４で示す領域）が、開口形成された非接着部４となる。
また、本実施形態においては、ひとつの接着パターンＰを介して伸縮性生地同士を貼り合わせる生地の貼り合わせ構造を説明するが、当然ながら、接着パターンＰにおいて、同一もしくは異なる種類のものを複数並行するように接着パターンＰを構成することもできる。
【００４３】
［接着パターンの変形例］
次に、上述した接着パターンＰの変形例について説明する。
接着パターンＰは、貼り合わせた伸縮性生地の接着強度（剥離強度）を向上させるために、接着パターンＰの端部に端部留めＥを有したり、接着パターンＰの中途部には留めパターンＭを有してもよい。
端部留めＥ及び留めパターンＭについて、以下に、具体的に説明する。
【００４４】
なお、本実施形態では、形状が異なる複数の端部留め及び留めパターンを例として挙げるが、端部留め及び留めパターンとして後述する同様の作用効果を有するものであり、便宜上端部留めを符号Ｅ、留めパターンを符号Ｍとして説明する。
また、図４、図５では、端部留めＥや留めパターンＭを有する接着パターンＰとして図３（ａ）に示すジグザグ状のものを例示しているが、特にこの形状に限定するものではなく、例えば図３の（ａ）から（ｋ）に示すような種々の接着パターンＰと種々の端部留めＥや留めパターンＭとを組み合わせることも可能である。
【００４５】
接着パターンＰは、該接着パターンＰの少なくとも一端に、環状もしくは線状を含む形状の端部留めＥを有するように構成することができる。
すなわち、端部留めＥは、接着パターンＰの端部を形成する部分であり、接着部１３と、非接着部１４とから構成される（図４（ａ）を参照）。また、端部留めＥは、接着パターンＰを介して接着された生地同士が接着パターンＰの端部から剥離しないように留める役割を有する。
【００４６】
なお、図４（ａ）では、接着パターンＰの一端に端部留めＥを有するものと、両端に有するものを示しているが、図４の（ｂ）から（ｌ）についても同様に端部留めＥを接着パターンＰの一端だけでなく両端に有するようにすることもできる。
【００４７】
接着部１３は、上述した接着パターンＰの接着部３の一端から延設される部分であり、該接着部３と同様にして形成される接着剤が固化して伸縮性生地同士が接着される部分である。
【００４８】
一方、非接着部１４は、当該接着部１３により平面視において開口形成され、伸縮性生地同士が前記接着剤により接着されない所定領域の部分である（図４（ａ）では円形領域部分）。この非接着部１４は、接着剤が塗布されない領域であるため、伸縮性を有する方向に伸縮性生地同士を伸縮しても、接着剤による伸縮の阻害を受けない伸びしろ部分となる。
具体的には、非接触部１４は、生地を伸ばす方向に引っ張ると、非接触部１４が伸びしろとして伸縮性を有する方向に伸びて開口するため、接着剤による伸縮の阻害を受けないのである。
【００４９】
端部留めＥは、図４に示すように、種々のものが例として挙げられる。
図４の（ａ）から（ｉ）に示す端部留めＥは、環状の端部留めである。
ここで、当該環状とは、平面視において所定の領域を囲む形状のことであり、図４（ａ）に示すような円形となるような形状（円環状）に限られず、三角形、四角形、五角形などの多角形の環状であっても、楕円形状、半円形状であってもよい。
【００５０】
一方、図４の（ｊ）から（ｌ）に示す端部留めＥは、線状の端部留めである。
ここで、当該線状とは、平面視において一本の線もしくは複数の線の組合せからなる形状のことであり、例えば図４（ｊ）に示すような１本の線状の接着部１３を接着パターンＰの接着部３一端から延設した形状に限られず、図４（ｋ）に示すような逆Ｔ字形や図４（ｌ）に示す十字形のように複数の線（図４（ｋ）及び（ｌ）では２本の線）が重なり合った形状であってもよい。
【００５１】
なお、端部留めＥは、図４に示すように、接着パターンＰの一端や両端に設けることができ、伸縮性生地の形状、生地特性、衣服等における貼り合わせ部位、デザインや機能、製造条件等に応じて適宜選定することができる。
【００５２】
このように、接着パターンＰの端部に端部留めＥを設けることで、伸縮性生地同士が剥離する方向に力が加わっても接着パターンＰの端部からの剥離を防ぐことができる。
また、図４の（ａ）から（ｉ）に示す環状の端部留めＥは、接着部１３が形成する環状内に非接触部１４を有する構成であるため、伸縮性生地の伸縮性を損なわずに、かつ接着の剥離強度の異方性を小さくすることができるので、接着パターンＰの端部留めＥとして、より好ましい。
【００５３】
また、前記接着パターンＰは、該接着パターンＰの延設方向が転換する部分に環状もしくは線状を含む形状の留めパターンＭを有するように構成とすることができる。
すなわち、留めパターンＭは、接着パターンＰの中途部を形成する部分であり、接着部２３と、非接着部２４とから構成される（図５（ａ）を参照）。また、留めパターンＭは、接着パターンＰを介して接着された生地同士が接着パターンＰが方向転換した部分から剥離しないように留める役割を有する。
【００５４】
接着部２３は、上述した接着パターンＰの接着部３の中途部に設けられる部分であり、該接着部３と同様にして形成される接着剤が固化して伸縮性生地同士が接着される部分である。
【００５５】
一方、非接着部２４は、当該接着部２３により平面視において開口形成され、伸縮性生地同士が前記接着剤により接着されない所定領域の部分である（図５（ａ）では四角形領域部分）。この非接着部２４は、接着剤が塗布されない領域であるため、伸縮性を有する方向に伸縮性生地同士を伸縮しても、接着剤による伸縮の阻害を受けない伸びしろ部分となる。
具体的には、非接触部２４は、生地を伸ばす方向に引っ張ると、非接触部２４が伸びしろとして伸縮性を有する方向に伸びて開口するため、接着剤による伸縮の阻害を受けないのである。
【００５６】
留めパターンＭは、図５に示すように、種々のものが例として挙げられる。
図５の（ａ）から（ｃ）に示す留めパターンＭは、環状の留めパターンである。
ここで、当該環状とは、平面視において所定の領域を囲む形状のことであり、図５（ａ）に示すような四角形（ひし形）となるような形状に限られず、三角形、四角形、五角形などの多角形の環状であっても、楕円形状、半円形状であってもよい。
【００５７】
一方、図５の（ｄ）から（ｆ）に示す留めパターンＭは、線状の留めパターンである。
ここで、当該線状とは、平面視において一本の線もしくは複数の線の組合せからなる形状のことであり、例えば図５（ｆ）に示すような１本の線状の接着部２３を接着パターンＰの接着部３間に介設した形状に限られず、図５（ｄ）に示すような半円形や図５（ｅ）に示すように複数の線（図５（ｅ）では２本の線）が重なり合った形状であってもよい。
【００５８】
なお、留めパターンＭは、図５に示すように、接着パターンＰの中途部に設けることができ、伸縮性生地の形状、生地特性、衣服等のおける貼り合わせる部位、デザインや機能、製造条件等に応じて適宜選定することができる。
【００５９】
このように、接着パターンＰの中途部に留めパターンＭを設けることで、伸縮性生地同士が剥離する方向に力が加わっても接着パターンＰの中途部からの剥離を防ぐことができる。
また、図５の（ａ）から（ｃ）に示す環状の留めパターンＭは、接着部２３が形成する環状内に非接触部２４を有する構成であるため、伸縮性生地の伸縮性を損なわずに、かつ接着の剥離強度の異方性を小さくすることができるので、接着パターンＰの留めパターンＭとして、より好ましい。
【００６０】
なお、端部留めＥ及び留めパターンＭは、前述した接着パターンＰに併用して設けたり、どちらか一方のみを設けたりすることができ、伸縮性生地の形状、生地特性、衣服等のおける貼り合わせる部位、デザインや機能、製造条件等に応じて適宜組み合わせることができる。
【００６１】
［接着パターンの衣服への適用例］
図６には、接着パターンＰ（ジグザグ状）を衣服（Ｔシャツ）の身頃１０の上部開口（アームホール）に袖部１１の端部を接着した状態を模式的に示したものである。
このように、身頃１０のアームホール等の開口に筒状の袖部１１の端部を取り付ける際においては、ループ状に接着剤を塗布して接着する必要がある。
このような場合、接着パターンＰの両端が完全に一致するようにつながることが理論的には好ましいが、製造上困難な場合は、図６の点線丸印に示すように、接着パターンＰの両端がオーバーラップする（重なり合う）ように留め部を形成してもよい。
【００６２】
このように、接着パターンＰの両端が所定寸法分オーバーラップ（例えば、オーバーラップ寸法としては、１０〜２０ｍｍ程度）することで、衣服（Ｔシャツ）の肩部あたりの伸縮性を損なわない。
なお、本実施形態に係る接着パターンＰの両端がオーバーラップするとは、図６の点線丸印で示すように、接着パターンＰの両端が所定の隙間を有して近接して重なり合う場合や、接着パターンＰの両端が接触したり交差したりする場合なども含まれる。
【００６３】
前記接着剤としては、特に限定するものではないが、例えば、熱可塑性樹脂が挙げられる。
当該熱可塑性樹脂としては、例えばポリウレタン系ホットメルト樹脂、ポリエステル系ホットメルト樹脂、ポリアミド系ホットメルト樹脂、ＥＶＡ系ホットメルト樹脂、ポリオレフィン系ホットメルト樹脂、スチレン系エラストマー樹脂、湿気硬化型ウレタン系ホットメルト樹脂、反応型ホットメルト樹脂等を用いることが好ましい。
【００６４】
これら接着剤を塗布（付与）する塗布（付与）手段及び接着手段としては、本実施形態や図面で示す接着パターンＰで伸縮性生地同士の少なくとも一方に接着剤を塗布（付与）し伸縮性生地同士を接着することができる手段であれば、特に限定するものではなく、公知の手段を用いることができる。
【００６５】
例えば、塗布（付与）手段としては、上記のような熱可塑性樹脂を伸縮性生地１または伸縮性生地２の少なくとも一方の接着面に所定の接着パターンＰで塗布（付与）可能な手段である。
また、接着手段としては、伸縮性生地同士の間に介在された熱可塑性樹脂を生地の外側から加熱及び加圧して溶融することにより液状化して、冷却固化によって伸縮性生地同士を接合する手段である。
なお、接着手段は、加熱及び加圧することは特に必須ではなく、加圧のみで接着することも可能である。例えば、熱可塑性樹脂を使用した場合でも、塗布後、直ぐに接着する場合は加圧のみ必要であり、加熱は不要である。また、接着手段は、加熱のみで接着することも可能である。
【００６６】
塗布（付与）手段としては、例えば、ノズル塗布手段、樹脂滴下手段、熱転写ローラ等による樹脂熱転写手段、刷毛等が挙げられる。
接着手段としては、例えば、ホットプレス機、アイロン等が挙げられる。
【００６７】
次に、本発明の実施形態に係る生地の貼り合わせ方法について説明する。
本実施形態における生地の貼り合わせ方法は、伸縮性生地同士となる伸縮性生地１及び伸縮性生地２を接着剤により形成される接着パターンＰを介して貼り合わせる生地の貼り合わせ方法である。
【００６８】
生地の貼り合わせ方法は、伸縮性生地１及び伸縮性生地２の少なくとも一方の伸縮性生地に、前記接着パターンＰで接着剤を塗布（付与）する塗布（付与）工程と（図１（ａ）を参照）、前記伸縮性生地１及び伸縮性生地２を前記接着パターンＰを介して貼り合わせて接着する工程と（図１（ｂ）参照）、を含むものである。
【００６９】
前記接着パターンＰは、図１に示すように、前記接着剤を所定形状（図１では、ジグザグ形状）に形成することで伸縮性生地１及び伸縮性生地２が連続的に接着される接着部３と、当該接着部３により平面視において開口形成され、伸縮性生地１及び伸縮性生地２が前記接着剤により接着されない非接着部４と、からなり、前記接着部３と前記非接着部４とが所定方向（図１では、矢印で示す伸縮性生地１及び伸縮性生地２の伸縮性を有する方向）に繰り返し設けられる。
【００７０】
前記塗布（付与）工程では、上述したような塗布（付与）手段を用いて、上記のような熱可塑性樹脂を伸縮性生地１または伸縮性生地２の少なくとも一方の接着面に所定の接着パターンＰで塗布（付与）される。
【００７１】
当該所定の接着パターンＰは、前述したような種々の端部留めＥや留めパターンＭを有するように構成してもよい。
【００７２】
前記接着工程では、伸縮性生地１及び伸縮性生地２の各接着面１ａ、２ａ同士を合わせて伸縮性生地１と伸縮性生地２との間に所定の接着パターンＰの熱可塑性樹脂を介在させ、接着手段（例えば、ホットプレス機）に載置し、当該接着手段で伸縮性生地１及び伸縮性生地２の間に介在された熱可塑性樹脂を生地の外側から加熱加圧して溶融することにより熱可塑性樹脂を熱溶融させ、その後、冷却固化によって伸縮性生地１及び伸縮性生地２を固着する。
【００７３】
上記生地の貼り合わせ方法を適用する例としては、衣類の製造工程において、伸縮性生地からなる衣類の表生地と伸縮性生地からなる衣類の裏生地とを接着剤を介して貼り合わせる場合が挙げられる。
【００７４】
本発明によれば、伸縮性材料同士を貼り合わせた場合に、接着強度を確保し、かつ伸縮性材料同士の接着部位の伸縮性を損なうことなく接着することができる。
【００７５】
本発明によれば、伸縮性材料同士の間に介在させる接着パターンの形状を変更することで伸縮性材料同士の伸長力と伸長性をコントロールすることができる。
ひいては、該伸縮性生地同士を有する衣類の伸長力と伸長性をコントロールすることができる。
【００７６】
本発明のように、接着パターンが、該接着パターンの少なくとも一端に、環状もしくは線状を含む形状の端部留めを有することで、伸縮性生地同士が剥離する方向に力が加わっても接着パターンの端部からの剥離を防ぐことができる。
【００７７】
本発明のように、接着パターンが、該接着パターンの延設方向が転換する部分に環状もしくは線状を含む形状の留めパターンを有することで、伸縮性生地同士が剥離する方向に力が加わっても接着パターンＰの方向転換した部分からの剥離を防ぐことができる。
【００７８】
また、本発明の伸縮性材料の貼り合わせ構造を有する衣類においては、衣類の着用部位に応じて接着パターンの形状を変更することで、衣類の伸長力と伸長性をコントロールすることができる。
【００７９】
また、前述したように、特許文献２に記載されるようなドット接着では、隙間を有するために、防水性や保温性、接着強度が劣る。これに対して、本発明の伸縮性材料の貼り合わせ構造では、隙間を有しない連続的に接着される貼り合わせ構造であるため、従来のドット接着よりも防水性や保温性に優れるとともに、伸縮性材料の伸縮性を損なわず、接着強度に優れる。
すなわち、本発明の伸縮性材料の貼り合わせ構造を適用した衣類では、従来のドット接着を適用したものよりも防水性や保温性が優れる衣服となる。具体的には、生地同士を縫製により縫い合わせた衣類は針孔が、ドット接着により貼り合わせた衣類はドット間の隙間が、水分や空気がリークする原因になる。
これに対して、本発明のように生地同士を所定の接着パターンにより隙間なく連続的に接着した衣類では、そのようなリークを抑えることができる。このようなリークを防ぎたい衣服の例としては、汗取りわきパッドを備えた衣類や失禁用下着などが挙げられ、本発明はこれらに好適なものとなる。
【産業上の利用可能性】
【００８０】
本発明は、伸縮性材料（素材）の貼り合わせ構造を有する衣類全般において適用することができる。本発明における適用分野としては、例えば、一般のシャツやランニング類の肌着、ブリーフやショーツ等のパンツ、その他ズボンなどの各種の衣類が挙げられる。
【符号の説明】
【００８１】
１    伸縮性生地
２    伸縮性生地
３    接着部
４    非接着部
１０  生地の貼り合わせ構造
Ｐ    接着パターン
【図１】
2014109318.tif 000003
【図２】
2014109318.tif 000004
【図３】
2014109318.tif 000005
【図４】
2014109318.tif 000006
【図５】
2014109318.tif 000007
【図６】
2014109318.tif 000008
【手続補正書】
【提出日】平成28年2月5日(2016.2.5)
【手続補正１】
【補正対象書類名】特許請求の範囲
【補正対象項目名】全文
【補正方法】変更
【補正の内容】
【特許請求の範囲】
【請求項１】
伸縮性材料同士を接着剤により形成される接着パターンを介して貼り合わせる伸縮性材料の貼り合わせ構造であって、
前記接着パターンは、
前記接着剤を所定形状に形成することで前記伸縮性材料同士が連続的に接着される接着部と、
前記接着部により平面視において開口形成され、前記伸縮性材料同士が前記接着剤により接着されない非接着部と、
からなり、
前記非接着部は、前記接着部によって周囲を囲まれておらず、
前記接着部と前記非接着部とが所定方向に連続的に繰り返し設けられる、
ことを特徴とする伸縮性材料の貼り合わせ構造。
【請求項２】
前記接着パターンは、該接着パターンの少なくとも一端に、環状もしくは線状を含む形状の端部留めを有する
ことを特徴とする請求項１に記載の伸縮性材料の貼り合わせ構造。
【請求項３】
前記接着パターンは、該接着パターンの延設方向が転換する部分に環状もしくは線状を含む形状の留めパターンを有する
ことを特徴とする請求項１または請求項２に記載の伸縮性材料の貼り合わせ構造。
【請求項４】
前記所定方向は、前記伸縮性材料の伸縮性を有する方向である
ことを特徴とする請求項１から請求項３のいずれか一項に記載の伸縮性材料の貼り合わせ構造。
【請求項５】
前記所定形状は、ジグザグ状またはカーブ状である
ことを特徴とする請求項１から請求項４のいずれか一項に記載の伸縮性材料の貼り合わせ構造。
【請求項６】
前記接着剤は、熱可塑性樹脂である
ことを特徴とする請求項１から請求項５のいずれか一項に記載の伸縮性材料の貼り合わせ構造。
【請求項７】
請求項１から請求項６のいずれか一項に記載の伸縮性材料の貼り合わせ構造を有する衣類。
【請求項８】
伸縮性材料同士を接着剤により形成される接着パターンを介して貼り合わせる伸縮性材料の貼り合わせ方法であって、
前記伸縮性材料同士の少なくとも一方の伸縮性材料に、前記接着パターンで接着剤を塗布する工程と、
前記伸縮性材料同士を前記接着パターンを介して貼り合わせて熱接着する工程と、
を含み、
前記接着パターンは、
前記接着剤を所定形状に形成することで前記伸縮性材料同士が連続的に接着される接着部と、
前記接着部により平面視において開口形成され、前記伸縮性材料同士が前記接着剤により接着されない非接着部と、
からなり、
前記非接着部は、前記接着部によって周囲を囲まれておらず、
前記接着部と前記非接着部とを所定方向に連続的に繰り返し設ける、
ことを特徴とする伸縮性材料の貼り合わせ方法。
【請求項９】
前記接着パターンは、該接着パターンの少なくとも一端に、環状もしくは線状を含む形状の端部留めを有する
ことを特徴とする請求項８に記載の伸縮性材料の貼り合わせ方法。
【請求項１０】
前記接着パターンは、該接着パターンの延設方向が転換する部分に環状もしくは線状を含む形状の留めパターンを有する
ことを特徴とする請求項８または請求項９に記載の伸縮性材料の貼り合わせ方法。
【請求項１１】
前記所定方向は、前記伸縮性材料の伸縮性を有する方向である
ことを特徴とする請求項８から請求項１０のいずれか一項に記載の伸縮性材料の貼り合わせ方法。
【請求項１２】
前記所定形状は、ジグザグ状またはカーブ状である
ことを特徴とする請求項８から請求項１１に記載の伸縮性材料の貼り合わせ方法。
【請求項１３】
前記接着剤は、熱可塑性樹脂である
ことを特徴とする請求項８から請求項１２のいずれか一項に記載の伸縮性材料の貼り合わせ方法。
【手続補正２】
【補正対象書類名】明細書
【補正対象項目名】全文
【補正方法】変更
【補正の内容】
【発明の詳細な説明】
【技術分野】
【０００１】
本発明は、伸縮性材料の貼り合わせ構造、該構造を有する衣類及び伸縮性材料の貼り合わせ方法に関し、より詳しくは、伸縮性材料同士を貼り合わせる際に、伸縮性材料の持つ伸縮性を阻害することなく貼り合わせることが可能な、伸縮性材料の貼り合わせ技術に関する。
【背景技術】
【０００２】
従来、伸縮性材料（素材）同士の貼り合わせ技術が種々提案されている。例えば、接着テープや接着剤により、伸縮性材料（例えば、伸縮性を有する生地）同士を接着させる技術が知られている（例えば、特許文献１、２を参照）。
【０００３】
具体的には、特許文献１では、伸縮性を有する表生地と裏生地とを熱可塑性樹脂によって熱接着して貼り合わせる場合に、表生地または裏生地のすくなくとも一方の接着面に、熱可塑性樹脂をドット状に塗布またはシート状に積層し、熱接着を行って生地を貼り合わせる技術が開示されている。
また、特許文献２では、伸縮性生地からなる衣類であって、着用部位に応じてドット接着樹脂の塗布面積率を変更し、衣類の伸長力と伸長性をコントロールする技術や、表裏二枚の伸縮性本体生地をドット接着樹脂で接着する技術が開示されている。
【先行技術文献】
【特許文献】
【０００４】
【特許文献１】特開２００４−１１０５６号公報
【特許文献２】国際公開第２００９／０８４０７９号
【発明の概要】
【発明が解決しようとする課題】
【０００５】
しかしながら、特許文献２に記載されるようなドット接着によって、伸縮性材料同士を接着する（貼り合わせる）場合、ドット接着樹脂の塗布面積率を変更することで伸縮性材料の伸長力と伸長性をコントロールすることができるものの、前記ドット接着樹脂のドットパターンについては、隣接するドット間に隙間（ドット間に接着剤がない部分）が形成される非連続的な接着パターンとしているため、伸縮性材料の接着面間において高い接着強度を確保することがむずかしいばかりか、前記隙間を有するために、防水性や保温性も劣る。
一方、特許文献１に記載されるようなシート状樹脂によって伸縮性材料同士を接着する（貼り合わせる）場合、接着部位が面となるため該伸縮性材料の接着面間において高い接着強度を確保することができるものの、シート状樹脂が接着部位に面状に貼りつけられたことにより前記伸縮性材料の伸びが阻害され、前記伸縮性材料が本来有する伸縮性が損なわれてしまう。
【０００６】
本発明は、上記課題に鑑みてなされたものであって、接着剤を介して伸縮性材料同士を貼り合わせる場合において、接着強度を確保しつつ、伸縮性材料の持つ伸縮性を阻害することなく貼り合わせることができる伸縮性材料の貼り合わせ技術を提供することを目的とする。
【課題を解決するための手段】
【０００７】
本発明の解決しようとする課題は以上の如くであり、次にこの課題を解決するための手段を説明する。
【０００８】
即ち、本発明の伸縮性材料の貼り合わせ構造は、伸縮性材料同士を接着剤により形成される接着パターンを介して貼り合わせる伸縮性材料の貼り合わせ構造であって、前記接着パターンは、前記接着剤を所定形状に形成することで前記伸縮性材料同士が連続的に接着される接着部と、前記接着部により平面視において開口形成され、前記伸縮性材料同士が前記接着剤により接着されない非接着部と、からなり、前記非接着部は、前記接着部によって周囲を囲まれておらず、前記接着部と前記非接着部とが所定方向に連続的に繰り返し設けられるものである。
【０００９】
本発明の伸縮性材料の貼り合わせ構造において、前記接着パターンは、該接着パターンの少なくとも一端に、環状もしくは線状を含む形状の端部留めを有するものである。
【００１０】
本発明の伸縮性材料の貼り合わせ構造において、前記接着パターンは、該接着パターンの延設方向が転換する部分に環状もしくは線状を含む形状の留めパターンを有するものである。
【００１１】
本発明の伸縮性材料の貼り合わせ構造において、前記所定方向は、前記伸縮性材料の伸縮性を有する方向であるものである。
【００１２】
本発明の伸縮性材料の貼り合わせ構造において、前記所定形状は、ジグザグ状またはカーブ状であるものである。
【００１３】
本発明の伸縮性材料の貼り合わせ構造において、前記接着剤は、熱可塑性樹脂であるものである。
【００１４】
本発明の衣類は、前記本発明の伸縮性材料の貼り合わせ構造を有するものである。
【００１５】
本発明の伸縮性材料の貼り合わせ方法は、伸縮性材料同士を接着剤により形成される接着パターンを介して貼り合わせる伸縮性材料の貼り合わせ方法であって、前記伸縮性材料同士の少なくとも一方の伸縮性材料に、前記接着パターンで接着剤を塗布する工程と、前記伸縮性材料同士を前記接着パターンを介して貼り合わせて熱接着する工程と、を含み、前記接着パターンは、前記接着剤を所定形状に形成することで前記伸縮性材料同士が連続的に接着される接着部と、前記接着部により平面視において開口形成され、前記伸縮性材料同士が前記接着剤により接着されない非接着部と、からなり、前記非接着部は、前記接着部によって周囲を囲まれておらず、前記接着部と前記非接着部とを所定方向に連続的に繰り返し設けるものである。
【００１６】
本発明の伸縮性材料の貼り合わせ方法において、前記接着パターンは、該接着パターンの少なくとも一端に、環状もしくは線状を含む形状の端部留めを有するものである。
【００１７】
本発明の伸縮性材料の貼り合わせ方法において、前記接着パターンは、該接着パターンの延設方向が転換する部分に環状もしくは線状を含む形状の留めパターンを有するものである。
【００１８】
本発明の伸縮性材料の貼り合わせ方法において、前記所定方向は、前記伸縮性材料の伸縮性を有する方向であるものである。
【００１９】
本発明の伸縮性材料の貼り合わせ方法において、前記所定形状は、ジグザグ状またはカーブ状であるものである。
【００２０】
本発明の伸縮性材料の貼り合わせ方法において、前記接着剤は、熱可塑性樹脂であるものである。
【発明の効果】
【００２１】
本発明によれば、伸縮性材料同士を貼り合わせる場合において、接着強度を確保しつつ、伸縮性材料同士の接着部位の伸縮性を損なうことなく接着することができる。
【図面の簡単な説明】
【００２２】
【図１】本発明の一実施形態に係る生地の貼り合わせ構造を示した図であり、（ａ）は貼り合わせ前の生地の貼り合わせ構造を示した平面図、（ｂ）は貼り合わせ後の生地の貼り合わせ構造を示した平面図。
【図２】図１（ｂ）中の矢印Ａの方向から見た断面図。
【図３】接着パターンの例を示した平面図。
【図４】接着パターンの端部留めの例を示した平面図。
【図５】接着パターンの留めパターンの例を示した平面図。
【図６】本実施形態に係る生地の貼り合わせ構造を適用した衣類の例を示す斜視図。
【発明を実施するための形態】
【００２３】
次に、本発明の実施形態について、図１乃至図６を用いて説明する。以下では、本発明の伸縮性材料の貼り合わせ構造に係る実施形態の一例として、伸縮性生地の貼り合わせ構造１０（以下、生地の貼り合わせ構造１０という）を挙げて説明する。
【００２４】
なお、前記伸縮性材料としては、特に限定するものではないが、シート状で伸縮性を有する材料（素材）が好ましく、本実施形態で例として挙げる伸縮性生地や、その他、ストレッチ素材、ゴム素材、ポリウレタンフィルム等の伸縮性フィルム類、及びこれらを複合して構成した複合体等が挙げられる。
また、同一の伸縮性材料同士のみならず異なる伸縮性材料同士を貼り合わせてもかまわない。
【００２５】
本実施形態における生地の貼り合わせ構造１０は、伸縮性生地同士となる伸縮性生地１及び伸縮性生地２を接着剤により形成される接着パターンＰを介して貼り合わせる生地の貼り合わせ構造である。
【００２６】
前記接着パターンＰは、図１に示すように、前記接着剤を所定形状（図１では、ジグザグ形状）に形成することで伸縮性生地１及び伸縮性生地２が連続的に接着される接着部３と、当該接着部３により平面視において開口形成され、伸縮性生地１及び伸縮性生地２が前記接着剤により接着されない非接着部４と、からなり、前記接着部３と前記非接着部４とが所定方向（図１では、矢印で示す伸縮性生地１及び伸縮性生地２の伸縮性を有する方向）に繰り返し設けられる。
ここで、「伸縮性を有する方向」とは、伸縮性の程度の大小は問わずに伸縮性を有している方向であればよい。より具体的には、特に限定するものではないが、図１に示す生地の貼り合わせ構造１０においては、横方向（図１の左右方向）よりも縦方向（図１の上下方向）が伸縮性の程度が大きく、この縦方向を「伸縮性を有する方向」として設定している。
なお、伸縮性の程度により伸縮性を有する方向は限定されず、伸縮性の程度が小さい方向を伸縮性を有する方向としても良い。
【００２７】
なお、接着パターンＰは、図１に示すように平面上の直線に限定するものではなく、伸縮性生地１及び伸縮性生地２の表面形状に沿った形状であればよい。例えば、貼り合わせる生地同士の形状に応じて、屈曲状、湾曲状、蛇行状、ループ状等適宜変更することができる。
また、図１においては、伸縮性生地１及び伸縮性生地２の平面視形状を長方形としているが、特に限定するものではなく、伸縮性生地の形状は任意のものを選択できる。
【００２８】
伸縮性生地１及び伸縮性生地２は、伸縮性に異方性のある伸縮性生地であり、伸縮性生地１及び伸縮性生地２とは、ともに同じ方向（図１の矢印で示す生地の縦方向）に伸縮性を有するように接着剤（接着パターンＰの接着部３）を介して貼り合わされる（図２参照）。
また、上記伸縮性に異方性がある伸縮性生地１及び伸縮性生地２については、伸縮性の異なる生地同士であってもよく、或いは、伸縮性が同程度であってもよく、伸縮性生地１及び伸縮性生地２に関するそれぞれの伸縮性の程度に限定されるものでない。
【００２９】
なお、本実施形態では、伸縮性生地１及び伸縮性生地２がともに伸縮性に異方性のある伸縮性生地を用いているが、特に限定するものではなく、伸縮性生地１及び伸縮性生地２がともに生地の縦横方向に伸縮性を有する等方性の伸縮性生地を用いることもできる。
また、伸縮性生地同士の少なくとも一方について、一方向に伸縮性があり、他方向には伸縮性がない伸縮性生地を用いてもよい。
【００３０】
本実施形態の伸縮性生地としては、伸縮性を有する編物（経編地、丸編地、緯編地などの編地）や織物を用いることができる。
より具体的には、伸縮性を有する編物としてはベロア、天竺（綿天竺、ウール天竺）、フライス、パワーネット、トリコット、ツーウェイトリコットなどが挙げられる。また、伸縮性を有する織物としては、ポリウレタン弾性繊維、ポリウレタン弾性繊維を含む混合繊維あるいはポリウレタン弾性繊維以外の弾性繊維を交編した伸縮性を有する織物などが挙げられる。
【００３１】
伸縮性生地としては少なくとも一方向に伸縮性を有していればよく、複数方向に伸縮性を有する編物や織物であってもよい。
なお、本実施形態では、伸縮性生地１及び伸縮性生地２の素材は同一方向に伸縮性を有する同じ編物からなるが、特に限定するものではなく、異なる種類の素材（編物や織物）を組み合わせて用いてもかまわない。
【００３２】
接着パターンＰは、前述したように、接着部３と、非接着部４とからなり、図２に示すように、接着剤が伸縮性生地１及び伸縮性生地２のそれぞれの接着面１ａ、接着面２ａに熱接着して固着した接着部位の平面視形状のことをいう。
また、接着部３は、所定方向（図１では、矢印で示す伸縮性生地１及び伸縮性生地２の伸縮性を有する方向）に所定形状（図１では、ジグザグ形状）を連続的に繰り返して形成される部分である。
【００３３】
接着部３は、より具体的に説明すると、接着パターンＰの形状がジグザグ形状の場合は、図１（ａ）に示すように、接着部３を構成する最小繰り返し単位Ｕが、「＜」形状もしくは「＞」形状であり、この最小繰り返し単位Ｕである「＜」形状もしくは「＞」形状が伸縮性生地１及び伸縮性生地２の伸縮性を有する方向に複数かつ連続的に繰り返して配置形成される部分のことである。
図１に示すジグザグ形状は、所定のジグザグ振幅（生地の伸縮性を有する方向と直交する振幅）と所定のジグザグピッチを一定周期で繰り返すものである。
【００３４】
一方、非接着部４は、当該接着部３により平面視において開口形成され、伸縮性生地１及び伸縮性生地２が前記接着剤により接着されない部分である（図２を参照）。
非接着部４は、より具体的に説明すると、接着パターンＰの形状がジグザグ形状の場合は、図１（ａ）に示すように、伸縮性生地１及び伸縮性生地２のそれぞれにおいて前記接着部３の最小繰り返し単位Ｕである「＜」形状もしくは「＞」形状の開口端から内側の所定領域に亘って接着剤が塗布されず、伸縮性生地１及び伸縮性生地２が接着されない部分のことである。
【００３５】
この非接着部４は、接着剤が塗布されない領域であるため、伸縮性を有する方向に生地を伸縮しても、接着剤による伸縮の阻害を受けない伸びしろ部分となる。
具体的には、非接触部４は、生地を伸ばす方向に引っ張ると、非接触部４が伸びしろとして伸縮性を有する方向に伸びて開口するため、接着剤による伸縮の阻害を受けないのである。
【００３６】
接着パターンＰの形状をジグザグ状にして伸縮性生地同士を接着する場合、前述した所定のジグザグ振幅と所定のジグザグピッチを変更することで、伸縮性生地同士の伸長力と伸長性をコントロールすることができる。
【００３７】
なお、接着パターンＰの形状をジグザグ状にする場合、その周期については特に限定するものではなく、図１に示すように、一定周期である必要はない。ジグザグ形状の周期については、生地特性、貼り合わせる生地の位置（部位）、当該生地の位置（部位）に応じて必要な伸縮性、製造条件等により適宜決めればよい。
【００３８】
また、接着パターンＰの形状はジグザグ状に特に限定するものではなく、図３に示すような種々の接着パターンＰが挙げられる。
図３に示す種々の接着パターンＰの形状のなかでも、図３（ａ）のジグザグ状または図３（ｂ）のカーブ状が好ましい。これは、生地に接着剤を塗布（付与）する際に塗布し易い形状であるからである。
【００３９】
また、接着パターンＰを構成する、接着部３と非接着部４との所定方向への繰り返し数は、少なくとも２回以上であればよく、所定の回数に限定されるものではない。
例えば、前記繰り返し数が２回である場合、接着パターンＰは、接着部３、非接着部４、接着部３と順に配置された構成となる一方、前記繰り返し数が３回以上である場合、接着パターンＰは、接着部３、非接着部４、接着部３、非接着部４、・・・と順に配置された構成となるのである。
【００４０】
さらに、接着パターンＰを構成する、接着部３と非接着部４との配置パターンについては、特に限定されるものではなく、不規則に構成されていてもよい。
例えば、図３（ｅ）の右側上段に示すように、接着パターンＰは、ひし形に形成された複数の接着部３・３・・・を、左方から右方に向かって交互に直線状接着部を連設するのではなく、図３（ｅ）の右側下段に示すように、接着部３を直線状接着部を適宜介設しながら１個、３個、２個、１個、２個、・・・と順に連ねて配置するように構成してもよい。
つまり、接着パターンＰの構成については、接着部３と、該接着部３の内側のひし形状の領域部分によって開口形成される非接着部４と、の配置パターンが交互に繰返されるものだけに限定されるのではなく、不規則なものであってもよいのである。
【００４１】
生地の貼り合わせ構造１０が有するジグザグ状の接着パターンＰと同様に、図３（ａ）から（ｋ）に示す接着パターンＰを介して伸縮性生地同士を貼り合わせて生地の貼り合わせ構造を形成すれば、いずれの接着パターンＰにおいても、上述したような接着部３と、非接着部４とが所定方向に繰り返し設けられることになる。
【００４２】
例えば、図３（ｄ）の左側の接着パターンＰでは、接着部３の内側の円状の領域部分（図３（ｄ）の符号４で示す領域）が、開口形成された非接着部４となる。
また、本実施形態においては、ひとつの接着パターンＰを介して伸縮性生地同士を貼り合わせる生地の貼り合わせ構造を説明するが、当然ながら、接着パターンＰにおいて、同一もしくは異なる種類のものを複数並行するように接着パターンＰを構成することもできる。
【００４３】
［接着パターンの変形例］
次に、上述した接着パターンＰの変形例について説明する。
接着パターンＰは、貼り合わせた伸縮性生地の接着強度（剥離強度）を向上させるために、接着パターンＰの端部に端部留めＥを有したり、接着パターンＰの中途部には留めパターンＭを有してもよい。
端部留めＥ及び留めパターンＭについて、以下に、具体的に説明する。
【００４４】
なお、本実施形態では、形状が異なる複数の端部留め及び留めパターンを例として挙げるが、端部留め及び留めパターンとして後述する同様の作用効果を有するものであり、便宜上端部留めを符号Ｅ、留めパターンを符号Ｍとして説明する。
また、図４、図５では、端部留めＥや留めパターンＭを有する接着パターンＰとして図３（ａ）に示すジグザグ状のものを例示しているが、特にこの形状に限定するものではなく、例えば図３の（ａ）から（ｋ）に示すような種々の接着パターンＰと種々の端部留めＥや留めパターンＭとを組み合わせることも可能である。
【００４５】
接着パターンＰは、該接着パターンＰの少なくとも一端に、環状もしくは線状を含む形状の端部留めＥを有するように構成することができる。
すなわち、端部留めＥは、接着パターンＰの端部を形成する部分であり、接着部１３と、非接着部１４とから構成される（図４（ａ）を参照）。また、端部留めＥは、接着パターンＰを介して接着された生地同士が接着パターンＰの端部から剥離しないように留める役割を有する。
【００４６】
なお、図４（ａ）では、接着パターンＰの一端に端部留めＥを有するものと、両端に有するものを示しているが、図４の（ｂ）から（ｌ）についても同様に端部留めＥを接着パターンＰの一端だけでなく両端に有するようにすることもできる。
【００４７】
接着部１３は、上述した接着パターンＰの接着部３の一端から延設される部分であり、該接着部３と同様にして形成される接着剤が固化して伸縮性生地同士が接着される部分である。
【００４８】
一方、非接着部１４は、当該接着部１３により平面視において開口形成され、伸縮性生地同士が前記接着剤により接着されない所定領域の部分である（図４（ａ）では円形領域部分）。この非接着部１４は、接着剤が塗布されない領域であるため、伸縮性を有する方向に伸縮性生地同士を伸縮しても、接着剤による伸縮の阻害を受けない伸びしろ部分となる。
具体的には、非接触部１４は、生地を伸ばす方向に引っ張ると、非接触部１４が伸びしろとして伸縮性を有する方向に伸びて開口するため、接着剤による伸縮の阻害を受けないのである。
【００４９】
端部留めＥは、図４に示すように、種々のものが例として挙げられる。
図４の（ａ）から（ｉ）に示す端部留めＥは、環状の端部留めである。
ここで、当該環状とは、平面視において所定の領域を囲む形状のことであり、図４（ａ）に示すような円形となるような形状（円環状）に限られず、三角形、四角形、五角形などの多角形の環状であっても、楕円形状、半円形状であってもよい。
【００５０】
一方、図４の（ｊ）から（ｌ）に示す端部留めＥは、線状の端部留めである。
ここで、当該線状とは、平面視において一本の線もしくは複数の線の組合せからなる形状のことであり、例えば図４（ｊ）に示すような１本の線状の接着部１３を接着パターンＰの接着部３の一端から延設した形状に限られず、図４（ｋ）に示すような逆Ｔ字形や図４（ｌ）に示す十字形のように複数の線（図４（ｋ）及び（ｌ）では２本の線）が重なり合った形状であってもよい。
【００５１】
なお、端部留めＥは、図４に示すように、接着パターンＰの一端や両端に設けることができ、伸縮性生地の形状、生地特性、衣服等における貼り合わせ部位、デザインや機能、製造条件等に応じて適宜選定することができる。
【００５２】
このように、接着パターンＰの端部に端部留めＥを設けることで、伸縮性生地同士が剥離する方向に力が加わっても接着パターンＰの端部からの剥離を防ぐことができる。
また、図４の（ａ）から（ｉ）に示す環状の端部留めＥは、接着部１３が形成する環状内に非接触部１４を有する構成であるため、伸縮性生地の伸縮性を損なわずに、かつ接着の剥離強度の異方性を小さくすることができるので、接着パターンＰの端部留めＥとして、より好ましい。
【００５３】
また、前記接着パターンＰは、該接着パターンＰの延設方向が転換する部分に環状もしくは線状を含む形状の留めパターンＭを有するように構成とすることができる。
すなわち、留めパターンＭは、接着パターンＰの中途部を形成する部分であり、接着部２３と、非接着部２４とから構成される（図５（ａ）を参照）。また、留めパターンＭは、接着パターンＰを介して接着された生地同士が接着パターンＰが方向転換した部分から剥離しないように留める役割を有する。
【００５４】
接着部２３は、上述した接着パターンＰの接着部３の中途部に設けられる部分であり、該接着部３と同様にして形成される接着剤が固化して伸縮性生地同士が接着される部分である。
【００５５】
一方、非接着部２４は、当該接着部２３により平面視において開口形成され、伸縮性生地同士が前記接着剤により接着されない所定領域の部分である（図５（ａ）では四角形領域部分）。この非接着部２４は、接着剤が塗布されない領域であるため、伸縮性を有する方向に伸縮性生地同士を伸縮しても、接着剤による伸縮の阻害を受けない伸びしろ部分となる。
具体的には、非接触部２４は、生地を伸ばす方向に引っ張ると、非接触部２４が伸びしろとして伸縮性を有する方向に伸びて開口するため、接着剤による伸縮の阻害を受けないのである。
【００５６】
留めパターンＭは、図５に示すように、種々のものが例として挙げられる。
図５の（ａ）から（ｃ）に示す留めパターンＭは、環状の留めパターンである。
ここで、当該環状とは、平面視において所定の領域を囲む形状のことであり、図５（ａ）に示すような四角形（ひし形）となるような形状に限られず、三角形、四角形、五角形などの多角形の環状であっても、楕円形状、半円形状であってもよい。
【００５７】
一方、図５の（ｄ）から（ｆ）に示す留めパターンＭは、線状の留めパターンである。
ここで、当該線状とは、平面視において一本の線もしくは複数の線の組合せからなる形状のことであり、例えば図５（ｆ）に示すような１本の線状の接着部２３を接着パターンＰの接着部３間に介設した形状に限られず、図５（ｄ）に示すような半円形や図５（ｅ）に示すように複数の線（図５（ｅ）では２本の線）が重なり合った形状であってもよい。
【００５８】
なお、留めパターンＭは、図５に示すように、接着パターンＰの中途部に設けることができ、伸縮性生地の形状、生地特性、衣服等における貼り合わせる部位、デザインや機能、製造条件等に応じて適宜選定することができる。
【００５９】
このように、接着パターンＰの中途部に留めパターンＭを設けることで、伸縮性生地同士が剥離する方向に力が加わっても接着パターンＰの中途部からの剥離を防ぐことができる。
また、図５の（ａ）から（ｃ）に示す環状の留めパターンＭは、接着部２３が形成する環状内に非接触部２４を有する構成であるため、伸縮性生地の伸縮性を損なわずに、かつ接着の剥離強度の異方性を小さくすることができるので、接着パターンＰの留めパターンＭとして、より好ましい。
【００６０】
なお、端部留めＥ及び留めパターンＭは、前述した接着パターンＰに併用して設けたり、どちらか一方のみを設けたりすることができ、伸縮性生地の形状、生地特性、衣服等における貼り合わせる部位、デザインや機能、製造条件等に応じて適宜組み合わせることができる。
【００６１】
［接着パターンの衣服への適用例］
図６には、接着パターンＰ（ジグザグ状）を衣服（Ｔシャツ）の身頃１０の上部開口（アームホール）に袖部１１の端部を接着した状態を模式的に示したものである。
このように、身頃１０のアームホール等の開口に筒状の袖部１１の端部を取り付ける際においては、ループ状に接着剤を塗布して接着する必要がある。
このような場合、接着パターンＰの両端が完全に一致するようにつながることが理論的には好ましいが、製造上困難な場合は、図６の点線丸印に示すように、接着パターンＰの両端がオーバーラップする（重なり合う）ように留め部を形成してもよい。
【００６２】
このように、接着パターンＰの両端が所定寸法分オーバーラップ（例えば、オーバーラップ寸法としては、１０〜２０ｍｍ程度）することで、衣服（Ｔシャツ）の肩部あたりの伸縮性を損なわない。
なお、本実施形態に係る接着パターンＰの両端がオーバーラップするとは、図６の点線丸印で示すように、接着パターンＰの両端が所定の隙間を有して近接して重なり合う場合や、接着パターンＰの両端が接触したり交差したりする場合なども含まれる。
【００６３】
前記接着剤としては、特に限定するものではないが、例えば、熱可塑性樹脂が挙げられる。
当該熱可塑性樹脂としては、例えばポリウレタン系ホットメルト樹脂、ポリエステル系ホットメルト樹脂、ポリアミド系ホットメルト樹脂、ＥＶＡ系ホットメルト樹脂、ポリオレフィン系ホットメルト樹脂、スチレン系エラストマー樹脂、湿気硬化型ウレタン系ホットメルト樹脂、反応型ホットメルト樹脂等を用いることが好ましい。
【００６４】
これら接着剤を塗布（付与）する塗布（付与）手段及び接着手段としては、本実施形態や図面で示す接着パターンＰで伸縮性生地同士の少なくとも一方に接着剤を塗布（付与）し伸縮性生地同士を接着することができる手段であれば、特に限定するものではなく、公知の手段を用いることができる。
【００６５】
例えば、塗布（付与）手段としては、上記のような熱可塑性樹脂を伸縮性生地１または伸縮性生地２の少なくとも一方の接着面に所定の接着パターンＰで塗布（付与）可能な手段である。
また、接着手段としては、伸縮性生地同士の間に介在された熱可塑性樹脂を生地の外側から加熱及び加圧して溶融することにより液状化して、冷却固化によって伸縮性生地同士を接合する手段である。
なお、接着手段は、加熱及び加圧することは特に必須ではなく、加圧のみで接着することも可能である。例えば、熱可塑性樹脂を使用した場合でも、塗布後、直ぐに接着する場合は加圧のみ必要であり、加熱は不要である。また、接着手段は、加熱のみで接着することも可能である。
【００６６】
塗布（付与）手段としては、例えば、ノズル塗布手段、樹脂滴下手段、熱転写ローラ等による樹脂熱転写手段、刷毛等が挙げられる。
接着手段としては、例えば、ホットプレス機、アイロン等が挙げられる。
【００６７】
次に、本発明の実施形態に係る生地の貼り合わせ方法について説明する。
本実施形態における生地の貼り合わせ方法は、伸縮性生地同士となる伸縮性生地１及び伸縮性生地２を接着剤により形成される接着パターンＰを介して貼り合わせる生地の貼り合わせ方法である。
【００６８】
生地の貼り合わせ方法は、伸縮性生地１及び伸縮性生地２の少なくとも一方の伸縮性生地に、前記接着パターンＰで接着剤を塗布（付与）する塗布（付与）工程と（図１（ａ）を参照）、前記伸縮性生地１及び伸縮性生地２を前記接着パターンＰを介して貼り合わせて接着する工程と（図１（ｂ）参照）、を含むものである。
【００６９】
前記接着パターンＰは、図１に示すように、前記接着剤を所定形状（図１では、ジグザグ形状）に形成することで伸縮性生地１及び伸縮性生地２が連続的に接着される接着部３と、当該接着部３により平面視において開口形成され、伸縮性生地１及び伸縮性生地２が前記接着剤により接着されない非接着部４と、からなり、前記接着部３と前記非接着部４とが所定方向（図１では、矢印で示す伸縮性生地１及び伸縮性生地２の伸縮性を有する方向）に繰り返し設けられる。
【００７０】
前記塗布（付与）工程では、上述したような塗布（付与）手段を用いて、上記のような熱可塑性樹脂を伸縮性生地１または伸縮性生地２の少なくとも一方の接着面に所定の接着パターンＰで塗布（付与）される。
【００７１】
当該所定の接着パターンＰは、前述したような種々の端部留めＥや留めパターンＭを有するように構成してもよい。
【００７２】
前記接着工程では、伸縮性生地１及び伸縮性生地２の各接着面１ａ、２ａ同士を合わせて伸縮性生地１と伸縮性生地２との間に所定の接着パターンＰの熱可塑性樹脂を介在させ、接着手段（例えば、ホットプレス機）に載置し、当該接着手段で伸縮性生地１及び伸縮性生地２の間に介在された熱可塑性樹脂を生地の外側から加熱加圧して溶融することにより熱可塑性樹脂を熱溶融させ、その後、冷却固化によって伸縮性生地１及び伸縮性生地２を固着する。
【００７３】
上記生地の貼り合わせ方法を適用する例としては、衣類の製造工程において、伸縮性生地からなる衣類の表生地と伸縮性生地からなる衣類の裏生地とを接着剤を介して貼り合わせる場合が挙げられる。
【００７４】
本発明によれば、伸縮性材料同士を貼り合わせた場合に、接着強度を確保し、かつ伸縮性材料同士の接着部位の伸縮性を損なうことなく接着することができる。
【００７５】
本発明によれば、伸縮性材料同士の間に介在させる接着パターンの形状を変更することで伸縮性材料同士の伸長力と伸長性をコントロールすることができる。
ひいては、該伸縮性生地同士を有する衣類の伸長力と伸長性をコントロールすることができる。
【００７６】
本発明のように、接着パターンが、該接着パターンの少なくとも一端に、環状もしくは線状を含む形状の端部留めを有することで、伸縮性生地同士が剥離する方向に力が加わっても接着パターンの端部からの剥離を防ぐことができる。
【００７７】
本発明のように、接着パターンが、該接着パターンの延設方向が転換する部分に環状もしくは線状を含む形状の留めパターンを有することで、伸縮性生地同士が剥離する方向に力が加わっても接着パターンＰの方向転換した部分からの剥離を防ぐことができる。
【００７８】
また、本発明の伸縮性材料の貼り合わせ構造を有する衣類においては、衣類の着用部位に応じて接着パターンの形状を変更することで、衣類の伸長力と伸長性をコントロールすることができる。
【００７９】
また、前述したように、特許文献２に記載されるようなドット接着では、隙間を有するために、防水性や保温性、接着強度が劣る。これに対して、本発明の伸縮性材料の貼り合わせ構造では、隙間を有しない連続的に接着される貼り合わせ構造であるため、従来のドット接着よりも防水性や保温性に優れるとともに、伸縮性材料の伸縮性を損なわず、接着強度に優れる。
すなわち、本発明の伸縮性材料の貼り合わせ構造を適用した衣類では、従来のドット接着を適用したものよりも防水性や保温性が優れる衣服となる。具体的には、生地同士を縫製により縫い合わせた衣類は針孔が、ドット接着により貼り合わせた衣類はドット間の隙間が、水分や空気がリークする原因になる。
これに対して、本発明のように生地同士を所定の接着パターンにより隙間なく連続的に接着した衣類では、そのようなリークを抑えることができる。このようなリークを防ぎたい衣服の例としては、汗取りわきパッドを備えた衣類や失禁用下着などが挙げられ、本発明はこれらに好適なものとなる。
【産業上の利用可能性】
【００８０】
本発明は、伸縮性材料（素材）の貼り合わせ構造を有する衣類全般において適用することができる。本発明における適用分野としては、例えば、一般のシャツやランニング類の肌着、ブリーフやショーツ等のパンツ、その他ズボンなどの各種の衣類が挙げられる。
【符号の説明】
【００８１】
１    伸縮性生地
２    伸縮性生地
３    接着部
４    非接着部
１０  生地の貼り合わせ構造
Ｐ    接着パターン
【国際調査報告】
2014109318.tif 000009
2014109318.tif 000010
2014109318.tif 000011
2014109318.tif 000012